(57)【特許請求の範囲】
【請求項１】
液体燃料を燃焼させる燃焼器具に着脱可能に設けられ該燃焼器具に装着されて液体燃料を供給し該燃焼器具から外されて液体燃料の補給を可能にする燃料カセットタンクであって、液体燃料が入れられる中空状のタンク本体と、該タンク本体の下壁に設けられ上記燃焼器具に対して液体燃料を供給する供給口部と、上記タンク本体の上壁に設けられ上記タンク本体を吊下可能な把手とを備えた燃料カセットタンクにおいて、
上記タンク本体の上壁に設けられ液体燃料を補給するための補給口部と、上記タンク本体の左右の側壁に夫々に進退動可能に設けられ進出により下面が上記供給口部の先端より下位に位置して上記タンク本体を設置面に支持可能な一対の脚部材と、上記タンク本体に設けられ上記把手の持ち上げ力に連動して作動させられ上記脚部材の進出位置で該脚部材の後退を停止させるロック状態及び上記脚部材を進退動可能にするロック解除状態に設定可能なロック機構とを設けたことを特徴とする燃料カセットタンク。
【請求項２】
液体燃料を燃焼させる燃焼器具に着脱可能に設けられ該燃焼器具に装着されて液体燃料を供給し該燃焼器具から外されて液体燃料の補給を可能にする燃料カセットタンクであって、上記燃焼器具への装着時に該燃焼器具の支持部材に支持される下壁，上壁及び側壁を有し液体燃料が入れられる中空状のタンク本体と、該タンク本体の下壁に設けられ上記燃焼器具への装着時に該燃焼器具に対して液体燃料を供給する供給口部と、把持可能な把持部及び該把持部に連設された軸部を有し上記タンク本体の上壁に設けた軸受部に上記軸部が回動可能に軸支され上記把持部を把持して持ち上げることにより上記タンク本体を吊下可能な把手とを備えた燃料カセットタンクにおいて、
上記タンク本体の上壁に設けられ液体燃料を補給するための開閉可能な補給口部と、上記タンク本体の左右の側壁に夫々上下方向に進退動可能に設けられ進出により下面が上記供給口部の先端より下位に位置して上記タンク本体を設置面に支持可能な進出位置及び後退により下面が上記下壁の壁面より上側に位置する後退位置の２位置に位置させられる一対の脚部材と、上記タンク本体に設けられ上記把手の持ち上げ力に連動して作動させられ上記脚部材の進出位置で該脚部材の後退を停止させるロック状態及び上記脚部材を後退位置及び進出位置の２位置に進退動可能にするロック解除状態に設定可能なロック機構とを設けたことを特徴とする燃料カセットタンク。
【請求項３】
上記把手の軸部が軸支される軸受部を該軸部が上下方向に移動可能な長穴を備えて構成し、該把手の軸部が上記軸受部の長穴の下端及び上端間で移動可能にし、上記ロック機構は、上記把手にその軸部を上記長孔の上端に位置させる持ち上げ力が働いたときロック解除状態にし、上記把手にその軸部を上記長孔の上端に位置させる持ち上げ力が働かないときロック状態にすることを特徴とする請求項２記載の燃料カセットタンク。
【請求項４】
上記ロック機構を、上記脚部材に設けられ側方に歯を露出させ該脚部材を所定位置で停止させるための第一停止ギヤと、上記タンク本体の側壁であって上記脚部材の近傍に偏心軸を中心に回動可能に設けられ回動により上記脚部材がその下面を上記供給口部の先端より下位に位置させた状態で上記進出位置から後退位置に移動しようとする際に上記第一停止ギヤに噛合して上記脚部材の移動を停止させる停止位置及び上記第一停止ギヤから離間して上記脚部材の移動を許容する離間位置に位置させられる第二停止ギヤと、該第二停止ギヤを離間位置から停止位置側に回動するように付勢する付勢手段と、上記把手の軸部及び上記第二停止ギヤ間に架設され上記把手にその軸部を上記長孔の上端に位置させる持ち上げ力が働いたとき上記付勢手段の付勢力に抗して上記第二停止ギヤを離間位置に回動させる一方上記把手にその軸部を上記長孔の上端に位置させる持ち上げ力が働かないとき上記付勢手段の付勢力により上記第二停止ギヤを停止位置に回動させるリンク部材とを備えて構成したことを特徴とする請求項３記載の燃料カセットタンク。
【請求項５】
上記付勢手段を、上記第二停止ギヤに垂設された錘を備えて構成したことを特徴とする請求項４記載の燃料カセットタンク。
【請求項６】
上記錘に装飾を施したことを特徴とする請求項５記載の燃料カセットタンク。
【請求項７】
上記付勢手段を、上記第二停止ギヤを付勢する棒バネを備えて構成したことを特徴とする請求項４乃至６何れかに記載の燃料カセットタンク。
【請求項８】
上記脚部材を、略逆Ｔ字状の板材で形成し、下面を有した下部部材及び該下部部材から上側に連設される上部部材を備えて構成し、上記タンク本体の側壁に上記上部部材を進退動可能にガイドするガイド部材を設け、上記脚部材を進出位置より進出しないように規制するストッパを設けたことを特徴とする請求項２乃至７何れかに記載の燃料カセットタンク。
【請求項９】
上記下部部材を上記上部部材に対して所要範囲で揺動可能に設けたことを特徴とする請求項８記載の燃料カセットタンク。
【発明の詳細な説明】
【技術分野】
【０００１】
本発明は、液体燃料を燃焼させる燃焼器具、主には灯油を燃焼させる石油ストーブに着脱可能に設けられ、この燃焼器具に装着されて液体燃料を供給し燃焼器具から外されて液体燃料の補給を可能にする燃料カセットタンクに係り、特に、液体燃料の補給の際に把手を持った後にタンク本体を反転させることなく容易に液体燃料の補給をすることのできる燃料カセットタンクに関する。
【背景技術】
【０００２】
従来、図１１に示すように、この種の燃料カセットタンクＴａとしては、例えば、液体燃料が入れられる中空状のタンク本体１００と、タンク本体１００の下壁に設けられ燃焼器具(図示せず)への装着時に燃焼器具に対して液体燃料を供給する供給口部１０１と、タンク本体１００の上壁に設けられ把持して持ち上げることによりタンク本体１００を吊下可能な把手１０２と、タンク本体１００の上壁に設けられ液体燃料を補給するための補給口部１０３と、タンク本体１００の下壁に設けられ下面１０４ａが供給口部１０１の先端１０１ａより下位に位置してタンク本体１００を設置面Ｅに支持する脚部材１０４とを備えたものがある。これにより、燃焼器具に装着されて供給口部１０１から液体燃料を供給し、燃焼器具から外されて補給口部１０３から液体燃料の補給を可能にしている。この液体燃料の補給時には、タンク本体１００を供給口部１０１が設置面Ｅに当らないように脚部材１０４で支持できるので、タンク本体１００を反転させることなく液体燃料の補給をすることができる（例えば、特開平１０−３３９４２９号公報（特許文献１），特開平５−１１３２１４号公報（特許文献２）参照）。
【０００３】
また、従来においては、図１２に示すような燃料カセットタンクＴｂも知られている。この燃料カセットタンクＴｂは、脚部材１０４をタンク本体１００の側壁に回動可能に設けている。これにより、液体燃料の補給時には、図１２（ａ）に示すように、タンク本体１００を一方の手で持ち上げながら、手動でロック部１０５のロックを解除して脚部材１０４を回動させてタンク本体１００の下壁よりも下側に突出させ、図１２（ｂ）に示すように、燃焼器具に装着する際には、タンク本体１００を一方の手で持ち上げながら、脚部材１０４を他方の手で手動で回動させてタンク本体１００の下壁よりも上側に収納してロック部１０５のロックを行うようにしている（例えば、特開平２−２６７４１２号公報（特許文献３）参照）。
【０００４】
更にまた、従来においては、図１３（ａ）（ｂ）に示すような燃料カセットタンクＴｃも知られている。この燃料カセットタンクＴｃにおいては、４つの脚部材１０４をタンク本体１００の下壁に進退動可能に設け、常時脚部材１０４を進出側に図示外のスプリングで付勢し、液体燃料の補給時には、タンク本体１００を持ち上げた時にこのスプリングで付勢して突出位置でロックし、燃焼器具１１０に装着する際には、燃焼器具１１０に設けた突き上げピン１１１によりロック解除して脚部材１０４を後退させるようにしている（例えば、実開平７−２２２４２号公報（特許文献４）参照）。
【先行技術文献】
【特許文献】
【０００５】
【特許文献１】特開平１０−３３９４２９号公報
【特許文献２】特開平５−１１３２１４号公報
【特許文献３】特開平２−２６７４１２号公報
【特許文献４】実開平７−２２２４２号公報
【発明の概要】
【発明が解決しようとする課題】
【０００６】
ところで、上記図１１に示す従来の特許文献１または特許文献２記載の燃料カセットタンクＴａでは、脚部材１０４がタンク本体１００に固定になっているので、燃焼器具側にこの脚部材１０４を収納する収納部を形成しなければならないことから、燃焼器具側の加工が必要になり汎用性に劣るという問題があった。
また、上記図１２に示す従来の特許文献３記載の燃料カセットタンクＴｂでは、タンク本体１００を一方の手で持ち上げながら、ロック部１０５のロック操作及びロック解除操作をするとともに脚部材１０４を他方の手で手動で回動操作しなければならないので、操作が煩雑になっているという問題がある。
更にまた、上記図１３に示す従来の特許文献４記載の燃料カセットタンクＴｃでは、タンク本体１００を一方の手で持ち上げて、脚部材１０４の操作はできるが、脚部材１０４を後退させるために燃焼器具１１０側にロック解除する突き上げピン１１１を設けなければならないので、上記特許文献１，２と同様に、燃焼器具１１０側の加工が必要になりそれだけ汎用性に劣るという問題があった。
【０００７】
本発明は上記の問題点に鑑みて為されたもので、液体燃料の補給の際にタンク本体を反転させることなく容易に液体燃料の補給をする機能を保持しつつ、燃焼器具側に別途加工を施したり別途部品を設けなくても、タンク本体を片手で持ち上げながら脚部材を進退動させることができるようにして、汎用性の向上を図った燃料カセットタンクを提供することを目的とする。
【課題を解決するための手段】
【０００８】
このような目的を達成するための本発明の燃料カセットタンクは、液体燃料を燃焼させる燃焼器具に着脱可能に設けられ該燃焼器具に装着されて液体燃料を供給し該燃焼器具から外されて液体燃料の補給を可能にする燃料カセットタンクであって、液体燃料が入れられる中空状のタンク本体と、該タンク本体の下壁に設けられ上記燃焼器具に対して液体燃料を供給する供給口部と、上記タンク本体の上壁に設けられ上記タンク本体を吊下可能な把手とを備えた燃料カセットタンクにおいて、上記タンク本体の上壁に設けられ液体燃料を補給するための補給口部と、上記タンク本体の左右に夫々に進退動可能に設けられ進出により下面が上記供給口部の先端より下位に位置して上記タンク本体を設置面に支持可能な一対の脚部材と、上記タンク本体に設けられ上記把手の持ち上げ力に連動して作動させられ上記脚部材の進出位置で該脚部材の後退を停止させるロック状態及び上記脚部材を進退動可能にするロック解除状態に設定可能なロック機構とを設けた構成としている。
【０００９】
これにより、燃料カセットタンクが燃焼器具に装着されているときは脚部材は後退して収納され、供給口部から液体燃料を供給する。また、液体燃料の補給時には、把手を把持してタンク本体を持ち上げて移動させる。この場合、把手の持ち上げ力に連動させてロック機構をロック解除状態に設定すると、脚部材が進出してその下面が供給口部の先端より下位に位置する。この状態で、脚部材を設置させるが、このとき、把手の持ち上げ力に連動させてロック機構をロック状態に設定すると、脚部材の進出位置で脚部材の後退が停止させられ、タンク本体は供給口部が設置面に当らないように脚部材で支持される。この状態で、補給口部を開けて液体燃料を補給し、その後、補給口部を閉める。この場合、タンク本体を反転させることなく液体燃料の補給をすることができるので、補給作業を極めて簡単に行うことができる。液体燃料の補給が終わったならば、再び、把手を把持してタンク本体を持ち上げて移動させる。この場合、把手の持ち上げ力に連動させてロック機構をロック解除状態に設定し、これを維持しながらタンク本体を燃焼器具に装着する。この状態で、脚部材は燃焼器具に当接して押されるが、ロック機構はロック解除状態に維持されているので、脚部材が後退することからタンク本体は燃焼器具に装着される。これにより、タンク本体を片手で持ち上げながら脚部材を進退動させることができるので、燃料補給作業を極めて容易に行うことができるようになる。そして、ロック機構の操作は、タンク本体の把手の操作で行うことができるので、従来のように、燃焼器具側に別途加工を施したり別途部品を設けなくてもよくなり、それだけ、汎用性の向上を図ることができる。
【００１０】
より具体的には、液体燃料を燃焼させる燃焼器具に着脱可能に設けられ該燃焼器具に装着されて液体燃料を供給し該燃焼器具から外されて液体燃料の補給を可能にする燃料カセットタンクであって、上記燃焼器具への装着時に該燃焼器具の支持部材に支持される下壁，上壁及び側壁を有し液体燃料が入れられる中空状のタンク本体と、該タンク本体の下壁に設けられ上記燃焼器具への装着時に該燃焼器具に対して液体燃料を供給する供給口部と、把持可能な把持部及び該把持部に連設された軸部を有し上記タンク本体の上壁に設けた軸受部に上記軸部が回動可能に軸支され上記把持部を把持して持ち上げることにより上記タンク本体を吊下可能な把手とを備えた燃料カセットタンクにおいて、上記タンク本体の上壁に設けられ液体燃料を補給するための開閉可能な補給口部と、上記タンク本体の左右の側壁に夫々上下方向に進退動可能に設けられ進出により下面が上記供給口部の先端より下位に位置して上記タンク本体を設置面に支持可能な進出位置及び後退により下面が上記下壁の壁面より上側に位置する後退位置の２位置に位置させられる一対の脚部材と、上記タンク本体に設けられ上記把手の持ち上げ力に連動して作動させられ上記脚部材の進出位置で該脚部材の後退を停止させるロック状態及び上記脚部材を後退位置及び進出位置の２位置に進退動可能にするロック解除状態に設定可能なロック機構とを設けた構成としている。
【００１１】
更に、より具体的には、上記把手の軸部が軸支される軸受部を該軸部が上下方向に移動可能な長穴を備えて構成し、該把手の軸部が上記軸受部の長穴の下端及び上端間で移動可能にし、上記ロック機構は、上記把手にその軸部を上記長孔の上端に位置させる持ち上げ力が働いたときロック解除状態にし、上記把手にその軸部を上記長孔の上端に位置させる持ち上げ力が働かないときロック状態にする構成としている。把手の軸部を軸受部の長穴に対して移動させるようにしたので、把手の持ち上げ力の調整を容易に行うことができるようになる。
【００１２】
そして、必要に応じ、上記ロック機構を、上記脚部材に設けられ側方に歯を露出させ該脚部材を所定位置で停止させるための第一停止ギヤと、上記タンク本体の側壁であって上記脚部材の近傍に偏心軸を中心に回動可能に設けられ回動により上記脚部材がその下面を上記供給口部の先端より下位に位置させた状態で上記進出位置から後退位置に移動しようとする際に上記第一停止ギヤに噛合して上記脚部材の移動を停止させる停止位置及び上記第一停止ギヤから離間して上記脚部材の移動を許容する離間位置に位置させられる第二停止ギヤと、該第二停止ギヤを離間位置から停止位置側に回動するように付勢する付勢手段と、上記把手の軸部及び上記第二停止ギヤ間に架設され上記把手にその軸部を上記長孔の上端に位置させる持ち上げ力が働いたとき上記付勢手段の付勢力に抗して上記第二停止ギヤを離間位置に回動させる一方上記把手にその軸部を上記長孔の上端に位置させる持ち上げ力が働かないとき上記付勢手段の付勢力により上記第二停止ギヤを停止位置に回動させるリンク部材とを備えて構成している。
【００１３】
これにより、燃料カセットタンクが燃焼器具に装着されているときは脚部材は後退して収納され、供給口部から液体燃料を供給する。また、液体燃料の補給時には、把手を把持してタンク本体を持ち上げて移動させる。この場合、把手を持ち上げると、把手の軸部が軸受部の長孔の上端位置に位置させる持ち上げ力が働き、そのため、リンク部材を介して付勢手段の付勢力に抗して第二停止ギヤが離間位置に回動させられる。これにより、第二停止ギヤが第一停止ギヤから離間して脚部材の移動を許容するので、脚部材は自重で進出位置に進出してその下面が供給口部の先端より下位に位置する。
【００１４】
この状態で、脚部材を設置させる。このときは、脚部材の設置直前若しくは直後にできるだけ早めに把手の把持を解放するようにすると、把手にはその軸部を軸受部の長孔の上端位置に位置させる持ち上げ力が働かないようになることから、付勢手段の付勢力により第二停止ギヤが停止位置に回動させられる。即ち、脚部材が進出位置から後退位置に移動しようとする際に第二停止ギヤが第一停止ギヤに噛合して、所謂楔現象により、脚部材の移動を停止させる。これにより、脚部材の進出位置で脚部材の後退が停止させられ、タンク本体は供給口部が設置面に当らないように脚部材で支持される。この状態で、補給口部を開けて液体燃料を補給し、その後、補給口部を閉める。この場合、タンク本体を反転させることなく液体燃料の補給をすることができるので、補給作業を極めて簡単に行うことができる。
【００１５】
液体燃料の補給が終わったならば、再び、把手を把持してタンク本体を持ち上げて移動させる。この場合、把手の軸部が軸受部の長孔の上端位置に位置させる持ち上げ力が働き、そのため、リンク部材を介して付勢手段の付勢力に抗して第二停止ギヤが離間位置に回動させられる。これにより、第二停止ギヤが第一停止ギヤから離間して脚部材の移動を許容する。そして、これを維持しながらタンク本体を燃焼器具に装着する。この状態で、脚部材は燃焼器具に当接して押されるが、第二停止ギヤが第一停止ギヤから離間して脚部材の移動を許容しているので、脚部材が後退して後退位置に位置させられ、タンク本体は燃焼器具に装着される。この後、把手を解放する。これにより、付勢手段の付勢力により第二停止ギヤが停止位置に回動させられるが、脚部材は後退位置にあるので、支障はない。このように、タンク本体を片手で持ち上げながら脚部材を進退動させることができるので、燃料補給作業を極めて容易に行うことができるようになる。そして、ロック機構の操作は、タンク本体の把手の操作で行うことができるので、従来のように、燃焼器具側に別途加工を施したり別途部品を設けなくてもよくなり、それだけ、汎用性の向上を図ることができる。
【００１６】
そして、必要に応じ、上記付勢手段を、上記第二停止ギヤに垂設された錘を備えて構成している。錘により付勢するので、把手での持ち上げ力の調整を容易に行うことができる。
この場合、上記錘に装飾を施したことが有効である。錘がタンク本体に露出しても、外観品質を向上させることができる。また、錘を見て第二停止ギヤの位置を知ることができそれだけ操作性が向上させられる。
【００１７】
また、必要に応じ、上記付勢手段を、上記第二停止ギヤを付勢する棒バネを備えて構成している。棒バネで付勢するので応答性が向上させられる。
【００１８】
更に、必要に応じ、上記脚部材を、略逆Ｔ字状の板材で形成し、下面を有した下部部材及び該下部部材から上側に延びる上部部材を備えて構成し、上記タンク本体の側壁に上記上部部材を進退動可能にガイドするガイド部材を設け、上記脚部材を進出位置より進出しないように規制するストッパを設けた構成としている。脚部材がガイド部材でガイドされるので、進退動が確実に行われる。また、ストッパにより、進出位置が規定される。
【００１９】
また、必要に応じ、上記下部部材を上記上部部材に対して所要範囲で揺動可能に設けた構成としている。脚部材の設置の際に、設置面の多少の不陸によっても揺動により衝撃の吸収と安定設置を確実に行わせることができる。
【発明の効果】
【００２０】
本発明によれば、タンク本体を片手で持ち上げながら脚部材を進退動させることができるので、燃料補給作業を極めて容易に行うことができるようになる。そして、ロック機構の操作は、タンク本体の把手の操作で行うことができるので、従来のように、燃焼器具側に別途加工を施したり別途部品を設けなくてもよくなり、それだけ、汎用性の向上を図ることができる。
【図面の簡単な説明】
【００２１】
【図１】本発明の実施の形態に係る燃料カセットタンクを示す正面図である。
【図２】本発明の実施の形態に係る燃料カセットタンクを示す平面図である。
【図３】図１中Ａ−Ａ線断面図である。
【図４】本発明の実施の形態に係る燃料カセットタンクの脚部材の要部を示す分解斜視図である。
【図５】本発明の実施の形態に係る燃料カセットタンクの脚部材の要部を示す正面断面図である。
【図６】本発明の実施の形態に係る燃料カセットタンクのロック機構と脚部材との基本的動作関係を示す図である。
【図７】本発明の実施の形態に係る燃料カセットタンクの燃焼器具への装着状態を示す正面図である。
【図８】本発明の実施の形態に係る燃料カセットタンクを持ち上げたときの状態を示す正面図である。
【図９】本発明の実施の形態に係る燃料カセットタンクを設置面に設置したときの状態を示す正面図である。
【図１０】本発明の実施の形態に係る燃料カセットタンクを燃焼器具に装着する途中の状態を示す正面図である。
【図１１】従来の燃料カセットタンクの一例を示す図である。
【図１２】従来の燃料カセットタンクの別の例を示す図である。
【図１３】従来の燃料カセットタンクのまた別の例を示す図である。
【発明を実施するための形態】
【００２２】
以下、添付図面に基づいて、本発明の実施の形態に係る燃料カセットタンクについて詳細に説明する。
図１乃至図１０に示すように、本発明の燃料カセットタンクＴは、灯油からなる液体燃料を燃焼させる石油ストーブからなる燃焼器具Ｓに着脱可能に設けられ、燃焼器具Ｓに装着されて液体燃料を供給し燃焼器具Ｓから外されて液体燃料の補給を可能にするものである。この燃料カセットタンクＴは、燃焼器具Ｓへの装着時に燃焼器具Ｓの支持部材Ｓａ（図１，図７，図１０）に支持される下壁２，上壁３及び側壁４を有し液体燃料が入れられる略直方体の中空状のタンク本体１を備えている。タンク本体１の下壁２の中央には、燃焼器具Ｓへの装着時に燃焼器具Ｓに対して液体燃料を供給する周知の供給口部５が設けられている。また、タンク本体１の上壁３の一側壁４側には、液体燃料を補給するための開閉可能な補給口部６が設けられている。また、補給口部６は揺動式の開閉蓋を備えて構成されており、開閉を容易に行うことができるようになっている。
【００２３】
更に、タンク本体１の上壁３には、タンク本体１を吊下可能な把手１０が設けられている。この把手１０は、水平方向に延びる把持可能な把持部１１と、この把持部１１にその両端に設けた連結部１２を介して連設され把持部１１と平行な軸部１３とを備えている。軸部１３の両端はタンク本体１の上壁３の左右に設けた一対の軸受部１４に回動可能に軸支されている。この把手１０の軸部１３が軸支される軸受部１４は、軸部１３が上下方向に移動可能な長穴１５を備えて構成されており、把手１０の軸部１３が軸受部１４の長穴１５の下端１５ａ及び上端１５ｂ間で移動可能に形成されている。
【００２４】
タンク本体１の両側壁４には、一対の脚部材２０が上下方向に進退動可能に設けられている。図１，図７乃至図１０においては、一対の脚部材２０のうち一方のみを図示している。この脚部材２０は、略逆Ｔ字状の板材で形成され、設置される下面２１を有した下部部材２２及びこの下部部材２２の中央から上側に連設された上部部材２３を備えて構成されている。図４及び図５に示すように、下部部材２２は、上部部材２３に対して所要範囲で揺動軸２０ａを中心に揺動可能に設けられている。詳しくは、上部部材２３に揺動軸２０ａが設けられる突出部２３ａを設け、下部部材２２に突出部２３ａに遊嵌する凹部２２ａを形成し、突出部２３ａと凹部２２ａの壁部間に揺動動作による衝撃を緩衝するバネ部材２０ｂを介装している。
【００２５】
そして、この脚部材２０は、進出により下面２１が供給口部５の先端より下位に位置してタンク本体１を補給用のタンクが置かれている設置面Ｅに支持可能な進出位置Ｘ、及び、後退により下面２１が下壁２の壁面より上側に位置する後退位置Ｙの２位置に位置させられる。後退位置Ｙでは、タンク本体１の下壁２は燃焼器具Ｓの支持部材Ｓａに支持される。
【００２６】
詳しくは、タンク本体１の側壁４には、上部部材２３の両側縁を進退動可能にガイドする一対のガイド部材２４が、上下に２組設けられている。ガイド部材２４は、図３に示すように、断面Ｌ字状に形成されており、タンク本体１の側壁４との間で上部部材２３の側縁部を摺動可能に保持している。脚部材２０はガイド部材２４でガイドされるので、進退動が確実に行われる。また、脚部材２０を進出位置Ｘより進出しないように規制するストッパ２５が設けられている。このストッパ２５は、脚部材２０の上部部材２３にその長手方向に沿って形成した長孔２６と、タンク本体１の側壁４から突設され長穴２６に挿通されるピン２７とで構成されており、長穴２６の上端がピン２７に衝止して停止させられる位置が、進出位置Ｘとして規定されている。
【００２７】
また、タンク本体１の両側には、各脚部材２０に対応して一対のロック機構３０が設けられている。図１乃至図４においては、一対のロック機構３０のうち一方のみを図示している。ロック機構３０は、把手１０の持ち上げ力に連動して作動させられ、脚部材２０の進出位置Ｘで脚部材２０の後退を停止させるロック状態（図１実線，図９）、及び、脚部材２０を後退位置Ｙ及び進出位置Ｘの２位置に進退動可能にするロック解除状態(図１二点鎖線，図８，図１０)の何れかに設定可能にするものである。そして、このロック機構３０は、把手１０に、その軸部１３を長孔１５の上端１５ｂに位置させる持ち上げ力が働いたときロック解除状態にし、把手１０に、その軸部１３を長孔１５の上端１５ｂに位置させる持ち上げ力が働かないときロック状態にするように構成されている。
【００２８】
詳しくは、ロック機構３０は、脚部材２０を所定位置で停止させるための脚部材２０に設けられた第一停止ギヤ３１と、偏心軸３３を中心に回動可能に設けられた第二停止ギヤ３２とを備えている。
第一停止ギヤ３１は、脚部材２０の表面に固設され側方に歯を露出させて形成されている。
第二停止ギヤ３２は、円盤状のギヤであり、タンク本体１の側壁４であって脚部材２０の近傍に偏心軸３３を中心に回動可能に設けられ、回動により脚部材２０がその下面２１を供給口部５の先端５ａより下位に位置させた状態で進出位置Ｘから後退位置Ｙに移動しようとする際に、第一ギヤ３１の上下方向の移動経路に進出し、第一停止ギヤ３１に噛合して、所謂楔現象により、脚部材２０の移動を停止させる停止位置Ｌａ、及び、第一停止ギヤ３１から離間して脚部材２０の移動を許容する離間位置Ｌｂに位置させられる。
【００２９】
またロック機構３０は、第二停止ギヤ３２を離間位置Ｌｂから停止位置Ｌａ側に回動するように付勢する付勢手段を備えている。実施の形態では、付勢手段は、錘３４と棒バネ３５の二種類用いられる。錘３４は、第二停止ギヤ３２に垂設され、錘３４の自重により、第二停止ギヤ３２を離間位置Ｌｂから停止位置Ｌａ側に回動するように付勢している。錘３４には、装飾が施されており、実施の形態ではハート形に形成され、錘３４がタンク本体１に露出しても、外観品質を向上させることができる。
また、棒バネ３５は、一端が第二停止ギヤ３２に固定され、他端側が上側のガイド部材２４の外側面に弾接しており、この弾接力により第二停止ギヤ３２を離間位置Ｌｂから停止位置Ｌａ側に回動するように付勢している。棒バネ３５で付勢するので応答性が向上させられる。
【００３０】
更に、ロック機構３０は、把手１０の軸部１３及び第二停止ギヤ３２間に架設されたリンク部材３６を備えている。リンク部材３６は、例えば、ワイヤなどの索状体で形成され、両端が把手１０の軸部１３及び第二停止ギヤ３２に夫々軸支されている。このリンク部材３６は、把手１０に、その軸部１３を長孔１５の上端１５ｂに位置させる持ち上げ力が働いたとき付勢手段（錘３４，棒バネ３５）の付勢力に抗して第二停止ギヤ３２を離間位置Ｌｂに回動させる一方、把手１０に、その軸部１３を長孔１５の上端１５ｂに位置させる持ち上げ力が働かないとき付勢手段（錘３４，棒バネ３５）の付勢力により第二停止ギヤ３２を停止位置Ｌａに回動させる。付勢手段の付勢力は、液体燃料が空の状態のタンク本体１を持ち上げたとき、把手１０の軸部１３が軸受部１４の長孔１５の上端１５ｂに位置できるように定められている。
【００３１】
従って、実施の形態に係る燃料カセットタンクＴによれば、先ず、図１，図６及び図７に示すように、燃料カセットタンクＴが燃焼器具Ｓに装着されているときは脚部材２０は後退位置Ｙにあって、タンク本体１の下壁２は燃焼器具Ｓの支持部材Ｓａに支持され、供給口部５から液体燃料を供給する。また、液体燃料の補給時には、把手１０を把持してタンク本体１を持ち上げて移動させる。この場合、図８に示すように、把手１０を持ち上げると、把手１０の軸部１３が軸受部１４の長孔１５の上端１５ｂに位置させる持ち上げ力が働き、そのため、リンク部材３６を介して付勢手段（錘３４，棒バネ３５）の付勢力に抗して第二停止ギヤ３２が離間位置Ｌｂに回動させられる。これにより、第二停止ギヤ３２が第一停止ギヤ３１から離間して脚部材２０の移動を許容するので、脚部材２０は自重で進出位置Ｘに進出してその下面２１が供給口部５の先端５ａより下位に位置する。
【００３２】
この状態で、図９に示すように、脚部材２０を設置させる。このときは、脚部材２０の設置直前若しくは直後にできるだけ早めに把手１０の把持を解放するようにすると、把手１０にはその軸部１３を軸受部１４の長孔１５の上端１５ｂに位置させる持ち上げ力が瞬時に働かないようになることから、付勢手段（錘３４，棒バネ３５）の付勢力により第二停止ギヤ３２が停止位置Ｌａに回動させられる。即ち、脚部材２０が進出位置Ｘから後退位置Ｙに移動しようとする際に第二停止ギヤ３２が第一停止ギヤ３１に噛合して、所謂楔現象により、脚部材２０の移動を停止させる。この場合、錘３４を見て第二停止ギヤ３２の位置を知ることができそれだけ操作性が向上させられる。これにより、脚部材２０の進出位置Ｘで脚部材２０の後退が停止させられ、タンク本体１は供給口部５が設置面Ｅに当らないように脚部材２０で支持される。この状態で、補給口部６を開けて液体燃料を補給し、その後、補給口部６を閉める。この場合、タンク本体１を反転させることなく液体燃料の補給をすることができるので、補給作業を極めて簡単に行うことができる。
【００３３】
液体燃料の補給が終わったならば、図８に示すように、再び、把手１０を把持してタンク本体１を持ち上げて移動させる。この場合、把手１０の軸部１３が軸受部１４の長孔１５の上端１５ｂに位置させる持ち上げ力が働き、そのため、リンク部材３６を介して付勢手段（錘３４，棒バネ３５）の付勢力に抗して第二停止ギヤ３２が離間位置Ｌｂに回動させられる。これにより、第二停止ギヤ３２が第一停止ギヤ３１から離間して脚部材２０の移動を許容する。
【００３４】
そして、図１０に示すように、把手１０を把持してタンク本体１を持ち上げた状態を維持しながらゆっくりとタンク本体１を燃焼器具Ｓに装着する。この場合、脚部材２０は燃焼器具Ｓの支持部材Ｓａに当接して押されるが、第二停止ギヤ３２が第一停止ギヤ３１から離間して脚部材２０の移動を許容しているので、脚部材２０が後退位置Ｙ側に後退し、図１点線及び図７に示すように、脚部材２０が後退位置Ｙに位置させられ、タンク本体１は燃焼器具Ｓに装着される。この後、把手１０を解放する。これにより、付勢手段（錘３４，棒バネ３５）の付勢力により第二停止ギヤ３２が停止位置Ｌａに回動させられるが、脚部材２０は後退位置Ｙにあるので、支障はない。
【００３５】
このように、タンク本体１を片手で持ち上げながら脚部材２０を進退動させることができるので、燃料補給作業を極めて容易に行うことができるようになる。そして、ロック機構３０の操作は、タンク本体１の把手１０の操作で行うことができるので、従来のように、燃焼器具Ｓ側に別途加工を施したり別途部品を設けなくてもよくなり、それだけ、汎用性の向上を図ることができる。
【００３６】
尚、上記の実施の形態において、リンク部材３６をワイヤなどの索状体で構成したが、必ずしもこれに限定されるものではなく、棒状体で構成しても良く、適宜変更して差し支えない。また、タンク本体１，供給口部５，補給口部６や把手１０の形状や大きさは上述したものに限定されるものではなく、適宜変更して差し支えない。更に、脚部材２０の形状も上述したものに限定されず、たとえば、左右にある一対の脚部材２０を連結部材で連結する等して良く、適宜変更して差し支えない。その場合には、ロック機構３０を一方の側壁にのみ設けることができる。更に、ロック機構３０の構成も上述したものに限定されるものではなく、要するに、把手１０の動作に連動するように形成されていれば、どのように構成しても良い。
【符号の説明】
【００３７】
Ｔ  燃料カセットタンク
Ｓ  燃焼器具
Ｓａ  支持部材
１  タンク本体
２  下壁
３  上壁
４  側壁
５  供給口部
６  補給口部
１０  把手
１１  把持部
１３  軸部
１４  軸受部
１５  長穴
１５ａ  下端
１５ｂ  上端
２０  脚部材
２１  下面
２２  下部部材
２３  上部部材
Ｘ  進出位置
Ｙ  後退位置
２４  ガイド部材
２５  ストッパ
３０  ロック機構
３１  第一停止ギヤ
３２  第二停止ギヤ
３３  偏心軸
Ｌａ  停止位置
Ｌｂ  離間位置
３４  錘（付勢手段）
３５  棒バネ（付勢手段）
３６  リンク部材
【要約】
【課題】  燃焼器具側に別途加工を施したり別途部品を設けなくても、タンク本体を片手で持ち上げながら脚部材を進退動させることができるようにして、汎用性の向上を図る。
【解決手段】  液体燃料が入れられる中空状のタンク本体１と、タンク本体１の下壁２に設けられ燃焼器具に対して液体燃料を供給する供給口部５と、タンク本体１の上壁３に設けられタンク本体１を吊下可能な把手１０と、タンク本体１の上壁３に設けられ液体燃料を補給するための補給口部６と、タンク本体１に進退動可能に設けられ進出により下面２１が供給口部５の先端より下位に位置してタンク本体１を設置面Ｅに支持可能な脚部材２０と、タンク本体１に設けられ把手１０の持ち上げ力に連動して作動させられ脚部材２０の進出位置Ｘで脚部材２０の後退を停止させるロック状態及び脚部材２０を進退動可能にするロック解除状態に設定可能なロック機構３０とを設けた構成としている。
【選択図】  図１【図１】
0005495352.tif 000002
【図２】
0005495352.tif 000003
【図３】
0005495352.tif 000004
【図４】
0005495352.tif 000005
【図５】
0005495352.tif 000006
【図６】
0005495352.tif 000007
【図７】
0005495352.tif 000008
【図８】
0005495352.tif 000009
【図９】
0005495352.tif 000010
【図１０】
0005495352.tif 000011
【図１１】
0005495352.tif 000012
【図１２】
0005495352.tif 000013
【図１３】
0005495352.tif 000014